(57)【要約】【課題】プリント回路基板とケースとの間に形成される空間と外部との密閉性を高めて、ケースから放射される音をこもらせることで、騒音の低減した磁気ディスク装置を実現する。【解決手段】プリント回路基板１０１とケース１２との間にガスケット１４，１５を配置する。ガスケット１４，１５は、プリント回路基板１０１とケース１２の密閉性を高めることができ、ケース１２からの放射音をこもらせ，騒音の低減が期待できる。さらに、弾性を有するガスケット１４，１５は、プリント回路基板１０１そのものの振動も抑制することが可能となる。【選択図】      図１
2005018911.tif 000002
【特許請求の範囲】
【請求項１】
情報が記録される磁気ディスクと、
前記磁気ディスクを支持および回転駆動するスピンドルモータと、
前記磁気ディスクに対して情報の記録再生を行う磁気ヘッドと、
前記磁気ディスクに対して前記磁気ヘッドを任意の位置に移動および位置決めするヘッドアクチュエータと、
前記スピンドルモータおよびヘッドアクチュエータの一方の面に載置されている基台と、
前記基台の他方の面に間隔を置いて対向配置されたプリント回路基板と、
前記プリント回路基板の外周と前記基台との間に設置され、前記プリント回路基板と前記基台に形成される空間を外部から密閉状態とする中間部材とを具備したことを特徴とする磁気ディスク装置。
【請求項２】
情報が記録される磁気ディスクと、
前記磁気ディスクを支持および回転駆動するスピンドルモータと、
前記磁気ディスクに対して情報の記録再生を行う磁気ヘッドと、
前記磁気ディスクに対して前記磁気ヘッドを任意の位置に移動および位置決めするヘッドアクチュエータと、
前記スピンドルモータおよびヘッドアクチュエータの一方の面に載置されている基台と、
前記基台の他方の面に間隔を置いて対向配置され、中央部に前記スピンドルモータを嵌合する孔が形成されたプリント回路基板と、
前記プリント回路基板の外周と前記基台との間に設置され、前記プリント回路基板と前記基台に形成される空間と外部を塞ぐ第１の中間部材と、
前記プリント回路基板の嵌合孔の周辺と前記基台との間に設置され、前記プリント回路基板と前記基台に形成される空間を外部を塞ぐ第２の中間部材とを具備したことを特徴とする磁気ディスク装置。
【請求項３】
前記中間部材、第１および第２の中間部材は、予め前記配線基板または前記基台のいずれか一方側に取着した状態で、前記配線基板を前記基台に取着したことを特徴とする請求項１または２記載の磁気ディスク装置。
【請求項４】
前記中間部材、第１および第２の中間部材は、ガスケットであることを特徴とする請求項１〜３のいずれかに記載の磁気ディスク装置。
【発明の詳細な説明】
【０００１】
【発明の属する技術分野】
この発明は、基台とプリント回路基板との間にガスケット構造の中間部材を有する磁気ディスク装置に関する。
【０００２】
【従来の技術】
従来の磁気ディスク装置では、プリント回路基板と基台との間に減衰の特性を有する材料で形成された中間部材を配置し、基台とプリント回路基板の最低２５％以上に接触させることで騒音の低減を図っている。（例えば、特許文献１）
【０００３】
【特許文献１】
米国特許第５２３５４８２号明細書
【０００４】
【発明が解決しようとする課題】
上記した特許文献１の技術は、中間部材が基台とプリント回路基板との間に形成される空間と外部との間に隙間がある。このためプリント回路基板を介して基台で発生した騒音が隙間を通して外部に放音されることから、システム全体の騒音を上昇させる問題があった。
【０００５】
この発明の目的は、プリント回路基板と基台の空間と外部との密閉性を高めて、基台から放射される音をこもらせることで、騒音の低減を実現した磁気ディスク装置を提供することにある。
【０００６】
【課題を解決するための手段】
上記した課題を解決するために、この発明の磁気ディスク装置は、情報が記録される磁気ディスクと、前記磁気ディスクを支持および回転駆動するスピンドルモータと、前記磁気ディスクに対して情報の記録再生を行う磁気ヘッドと、前記磁気ディスクに対して前記磁気ヘッドを任意の位置に移動および位置決めするヘッドアクチュエータと、前記スピンドルモータおよびヘッドアクチュエータの一方の面に載置されている基台と、前記基台の他方の面に間隔を置いて対向配置されたプリント回路基板と、前記プリント回路基板の外周と前記基台との間に設置され、前記プリント回路基板と前記基台に形成される空間を外部から密閉状態とする中間部材とを具備したことを特徴とする。
【０００７】
また、情報が記録される磁気ディスクと、前記磁気ディスクを支持および回転駆動するスピンドルモータと、前記磁気ディスクに対して情報の記録再生を行う磁気ヘッドと、前記磁気ディスクに対して前記磁気ヘッドを任意の位置に移動および位置決めするヘッドアクチュエータと、前記スピンドルモータおよびヘッドアクチュエータの一方の面に載置されている基台と、前記基台の他方の面に間隔を置いて対向配置され、中央部に前記スピンドルモータを嵌合する孔が形成されたプリント回路基板と、前記プリント回路基板の外周と前記基台との間に設置され、前記プリント回路基板と前記基台に形成される空間と外部を塞ぐ第１の中間部材と、前記プリント回路基板の嵌合孔の周辺と前記基台との間に設置され、前記プリント回路基板と前記基台に形成される空間を外部を塞ぐ第２の中間部材とを具備したことを特徴とする。
【０００８】
【発明の実施の形態】
以下、この発明の実施の形態について、図面を参照しながら詳細に説明する。
図１は、この発明をハードディスクドライブ（以下、ＨＤＤという。）に適用した場合の一実施の形態について説明するための分解斜視図、図２は図１のＡ−Ａ’断面図である。
【０００９】
図１に示すように、ＨＤＤは、上面の開口した矩形箱状のケース１２と、複数のねじ１１によりケースにねじ止めされて、ケースの上端開口を閉塞するトップカバー１４と、を有している。ケース１２はアルミ等の金属で形成され、その底壁は基台として機能している。
【００１０】
ケース１２内には、磁気記録媒体としての磁気ディスク１６、この磁気ディスクを支持および回転させるスピンドルモータ１８、磁気ディスクに対して情報の記録、再生を行う複数の磁気ヘッド、これらの磁気ヘッドを磁気ディスク１６に対して移動自在に支持したキャリッジアッセンブリ２２、キャリッジアッセンブリを回動および位置決めするボイスコイルモータ２４、磁気ヘッドが磁気ディスクの最外周に移動した際、磁気ヘッドを磁気ディスクから離間した位置に保持するランプロード機構２５およびヘッドＩＣ等を有する基板ユニット２１が収納されている。
【００１１】
また、ケース１２の底壁外面には、基板ユニット２１を介してスピンドルモータ１８、ボイスコイルモータ２４、および磁気ヘッドの動作を制御するプリント回路基板１０１がねじ１０２によりねじ止めされている。プリント配線基板１０１の中央部に形成された嵌合孔１０３は、図２に示すように、スピンドルモータ１８の背面側を嵌合するためのものである。
【００１２】
磁気ディスク１６は、例えば直径６５ｍｍ（２．５インチ）に形成され、上面および下面に磁気記録層を有している。また、磁気ディスク１６は、スピンドルモータ１８のハブ１８１に同軸的に嵌合されているとともにクランプばね１７によりクランプされ、所定の速度で回転駆動される。
【００１３】
キャリッジアッセンブリ２２は、ケース１２の底壁上に固定された軸受組立体２６と、この軸受組立体から延出した２本のアーム３２と、各アームに支持された２つの磁気ヘッド組立体３６と、を備えている。各磁気ヘッド組立体３６は、板ばねによって形成された細長いサスペンション３８と、サスペンションの先端に固定された磁気ヘッド４０と、を備えている。また、キャリッジアッセンブリ２２は、軸受組立体２６からアーム３２と反対方向へ延出した支持フレーム４３を有し、この支持フレームにはボイスコイルモータ２４の一部を構成する図示しないボイスコイルが固定されている。
【００１４】
上記のように構成されたキャリッジアッセンブリ２２をケース１２に組み込んだ状態において、磁気ディスク１６は２本のアーム３２間に位置している。そして、アーム３２に取り付けられた磁気ヘッド４０は、磁気ディスク１６の上面および下面にそれぞれ対向し、磁気ディスク１６を両面側から挟持している。
【００１５】
また、キャリッジアッセンブリ２２の支持フレーム４３に固定されたボイスコイルは、ケース１２の底壁上に固定された一対のヨーク４８間に位置し、これらのヨークおよび一方のヨークに固定された図示しない磁石とともに、ボイスコイルモータ２４を構成している。そして、ボイスコイルに通電することにより、キャリッジアッセンブリ２２が回動し、磁気ヘッド４０は磁気ディスク１６の所望のトラック上に移動および位置決めされる。なお、これらのキャリッジアッセンブリ２２およびボイスコイルモータ２４は、ヘッドアクチュエータとして機能する。
【００１６】
一方、基板ユニット２１は、メインフレキシブルプリント回路基板（以下、メインＦＰＣと称する）５４を有している。そして、メインＦＰＣ５４は、キャリッジアッセンブリ２２に取り付けられた延出端部５４ａと、ケース１２の底壁上に取り付けられた基端部５４ｂとを有している。延出端部５４ａは、各アーム３２およびサスペンション３８に取り付けられた図示しない中継ＦＰＣを介して磁気ヘッド４０に電気的に接続されている。
【００１７】
なお、メインＦＰＣ５４は、ポリイミド等の絶縁材からなるベースフィルム（ベース層）と、ベースフィルム上に形成された銅箔をパターニングすることにより構成された導体パターンと、導体パターンのパッド部を除いて、導体パターンおよびベースフィルム上を覆った絶縁材からなるカバー層と、を有している。
【００１８】
メインＦＰＣ５４の基端部５４ｂ上には、磁気ヘッド４０からの信号を増幅するヘッドＩＣ６０、ケース１２の外面側に設けられたプリント回路基板１０１とメインＦＰＣ５４とを接続するためのコネクタ６２、および他の電子部品が実装されている。また、基端部５４ｂ上には、磁気ヘッド４０および磁気ディスク１６の周囲の温度として、ケース１２内部の温度を検出する温度センサ６４が実装されている。
【００１９】
１０４，１０５は、弾性の例えばゴムや合成樹脂製のガスケットである。図３に示すように、ガスケット１０４は嵌合孔１０３の周辺を一周してつながった状態でプリント配線基板１０１に接着剤により取り付けられている。ガスケット１０５は、プリント配線基板１０１の外周を一周してつながった状態でプリント配線基板１０１に接着剤により取り付けられている。なお、ガスケット１０４，１０５は、ケース１２に予め取り付けてもよい。ガスケット１０４、１０５を予めプリント配線基板１０１またはケース１２に取り付けた状態でプリント配線基板とケースをねじ１０２でねじ止めすることにより作業性の向上が図れる。
【００２０】
ねじ１０２によりプリント配線基板１０１がケース１２にねじ止めされると、プリント配線基板とケースの空間部１０６は、密閉された状態となる。これにより、ケース１２の外面側から発生する騒音の発生を防止することができる。
【００２１】
なお、開放された磁気ディスク１６側のケース１２は、図示しないケースで覆われ、磁気ディスク１６やスピンドルモータ１８等から発生する騒音の発生を抑えている。
【００２２】
この実施の形態によれば、プリント回路基板とケースとの密閉性を高めることで、ケースから放射される音をこもらせ、騒音の低減が期待できる。また、プリント回路基板をガスケット（減衰材料）で支持することにより、プリント回路基板に対して減衰を与えることができ、プリント回路基板そのものの振動による騒音の抑制も可能となる。
【００２３】
この発明は、上記した実施の形態に限定されるものではなく、たとえば、プリント配線基板１０１にあけた嵌合孔１０３は、スピンドルモータ１８をプリント配線基板１０１で全体を覆うことでも構わない。この場合ガスケット１０４は削除することができるばかりか、スピンドルモータ１８の背面側から発生する騒音を抑えることも可能である。
【００２４】
【発明の効果】
以上説明したように、この発明の磁気ディスク装置によれば、プリント回路基板とケースとの空間と外部を中間部材を用いて密閉させ、ケースから放射される騒音を低減することが可能となる。
【図面の簡単な説明】
【図１】この発明の一実施の形態について説明するための分解斜視図。
【図２】図１のＡ−Ａ’断面図。
【図３】図１のプリント回路基板の正面図。
【符号の説明】
１２…ケース
１６…磁気ディスク
１８…スピンドルモータ
２２…キャリッジアッセンブリ
２４…ボイスコイルモータ
４０…磁気ヘッド
２０１…プリント回路基板
１０４，１０５…ガスケット
１０６…空間部
【図１】
2005018911.tif 000003
【図２】
2005018911.tif 000004
【図３】
2005018911.tif 000005